(57)【要約】　　　（修正有）【課題】打つボールを目印に出来、そして正しいスイングを練習中でもラウンド中でも何時でも何処でも常に確認出来、確信を持って正しいスイングを確認出来、確信を持って打つことが出来るようにする。【解決手段】透明部分のある本体１に反射板３を組込み、反射ボール目印ｃとボールａと目標ｂを反射ラインｅと目標ラインｇとを真直ぐに合わせる。そしてボールａの反射板３に写し出された反射ボール目印ｃがスイング中でも見える様にスイングする。パターのボールを打つ面を常に変えないでスイング出来る様にした。【選択図】　　　図１
2004016776.tif 000002
【特許請求の範囲】
【請求項１】
パターの本体に、透明部分を設けた事を特徴とする、パター。
【請求項２】
パターに、ボールの反射部を設けた事を特徴とする、パターあるい
は反射部。
【請求項３】
透明部分のあるパターの本体に、ボールの反射部を設けた事を特徴
とする、パターあるいは反射部。
【発明の詳細な説明】
【０００１】
［産業上の利用分野］
この発明は、ゴルフに使用するパターに関する。
【０００２】
［従来の技術］
これまでのパターの本体に透明な物は無く、且つ反射部にボールを写し出し目印にし、そしてボールがスイング中に見える様にした物は無
かったのである。
【０００３】
［発明が解決しようとする課題］
打つボールその物を目印に出来ないか、そして正しいスイングのチェックを練習中は勿論ラウンド中でも出来ないかを課題にしたのである
。
【０００４】
［課題を解決する為の手段］
パター本体に透明部分を設け反射板を組込み、ボールを写し出した事でボールを目印に出来たのである。そしてスイング中でもボールが写　　　　し出されるのでフェースの向きが判り、正しいスイングを確認出来確信
を持って打つ事が出来るのである。
【０００５】
［実施例］
図１、図２、図３によれば、傷付き難い面・ｄ透明部分のある本体ａ・１に反射板ａ・３を組込み、それに写し出された反射ボール目印・ｃとボール・ａと目標・ｂが、反射ライン１・ｅと目標ライン・ｇとを真直ぐにする事によって合わせられるのである。ボールを打つ時、反射ライン３・ｈと反射ライン４・ｉを通って反射板ａ・３に写し出された反射ボール目印・ｃがスイング中でも見える様にするのである。それにより、パターの面が変わらぬ様に打つ事が出来正しいスイングが出来るのである。又、ボールを打つ前に、ボールから少し離れた所でボールを写し出してイメージスイングしてから打つのである。図４によれば、本体ｂ・４に、反射板ｂ・５と反射板ｃ・６から成る反射部・７を付けるのである。ボール・ａが反射ライン５・ｊと反射ライン６・ｋと反射ライン７・１を通って目・ｍで見える反射ボール目印・ｃを前述と同様に、反射ライン５・ｊと目標ライン・ｇとを真直ぐに合わせるのである。そして反射ボール目印・ｃが見える様にしイメージスイングをし打つの
である。何時でも何処でも正しいスイングが出来るのである。
【０００６】
［発明の効果］
この発明により正しいスイングが判り、どの様にすると安定したスイングが得られるのか自分で確認しながら出来るのである。しかも本番でもボールを打つ前に、ボールから少し離れた所でボールを写し出してイメージスイングが出来るのである。躊躇することなく打てるのである。最終的スコアメイクには“寄せ”と“パター”と云われているがその“パター”の悩みが解消されるのである。又、これまでのパターに反射部だけを付ける事によっても同様の効果を得られるのである。且つ、透
明なパターはこれまでに無く持つ事に満足感をも味わえるのである。
【図面の簡単な説明】
【図１】この発明の実施例で、平面図と相関図である。
【図２】この発明の実施例で、側面図と相関図である。
【図３】この発明の実施例で、スイング中の相関図である。
【図４】この発明の実施例で、パター本体が透明でない物あるいはこれまで
のパターに取付けた反射部である。
【符号の説明】
１　　透明部分のある本体ａ
２　　シャフト
３　　反射板ａ
４　　本体ｂ
５　　反射板ｂ
６　　反射板ｃ
７　　反射部
ａ　　ボール
ｂ　　目標
ｃ　　反射ボール目印
ｄ　　傷付き難い面
ｅ　　反射ライン１
ｆ　　反射ライン２
ｇ　　目標ライン
ｈ　　反射ライン３
ｉ　　反射ライン４
ｊ　　反射ライン５
ｋ　　反射ライン６
ｌ　　反射ライン７
ｍ　　目
【図１】
2004016776.tif 000003
【図２】
2004016776.tif 000004
【図３】
2004016776.tif 000005
【図４】
2004016776.tif 000006
【手続補正書】
【提出日】平成15年8月5日(2003.8.5)
【手続補正１】
【補正対象書類名】明細書
【補正対象項目名】全文
【補正方法】変更
【補正の内容】
【発明の詳細な説明】
【特許請求の範囲】
【請求項１】透明部分のあるパターのヘッドに、打つボールを見える様に写し出した反射部を内蔵したパター。
【請求項２】パターの本体に、透明部分を内蔵させたパター。
【発明の詳細な説明】
【０００１】
【産業上の利用分野】
この発明は、ゴルフに使用するパターに属する。
【０００２】
【従来の技術】
これまでパターの本体に透明な物は無く、且つ反射部にボールを写し出し目印にし、そしてボールがスイング中に見える様にした物は無かったのである。
【０００３】
【発明が解決しようとする課題】
これまでのパターには、持っているだけでも楽しくなる様な華やかさが無かったり、そして実績を上げるのには何か今ひとつ足りなかった。
前記課題に着目し、本発明はこれまでの常識と云われる事にとらわれずに、材料や作り方を見直しそして実績の上がらない真の原因を追求し、ゴルフの究極と云われるパターの悩みを、楽しみながら解消させる事を目的とするものである。
【０００４】
【課題を解決するための手段】
透明部分のあるパターのヘッドに、打つボールを見える様に写し出した反射部を内蔵したパターにする事によって達成される。
【０００５】
【実施例】
“パターに型無し”と云われております様に、確かに各人が違っております。それは、ゴルフを始めた当初は経験者に聞いたり、上手な人を真似たりしていても上手く行かず、自分の型を作ろうとしてもやはり良い結果が得られなかったからである。そして自分に合うパターを選ぼうとしても、好みの形を優先したり、人気のあるものを優先したり偏りつつもあったのである。この様な状況でなかなか成績も上がらず、その結果パターは、悩みの尽きないものと云われる所以となっているのである。
ところが、それには原因があったのである。その原因とは、パターの面を目標方向に合わせたという実感があやふやのまゝであったからである。その為距離感もあやふやに感じながらもスイングせざるを得なかったからである。その結果読んだラインに合わなくなってしまい、自信喪失になってしまっていたのである。
本発明は、原因を追求し、目標とボールと目印の三ケ所と単純にし見易くして、自分が信じたラインの目標方向に先ずはパターの面を合わせ易くしたのである。ラインに合わせた実感が安心となりゆとりとなり、距離感や方向のイメージが更に確かなものになり、自分の信じたスイングが出来る様になったのである。そしてこれにより、次の課題があるとするならばライン読みのみとなり、課題が絞られ精進に弾みが付き、いち早く結果にも表れ自信に繋がって行くものである。以下、図に基づいて記して行く。
図１、図２、図３に基づいて、傷付き難い面ｄを持ち、透明部分のあるヘッド１に第１反射板３を組込み、それに写し出された反射ボール目印ｃとボールａと目標ｂが、第１反射ラインｅと目標ラインｇとを真直ぐにする事によって合わせられるのである。ボールを打つ時、第３反射ラインｈと第４反射ラインｉを通って第１反射板３に写し出された反射ボール目印ｃがスイング中でも見える様にするのである。それにより、パターの面が変らぬ様に打つ事が出来正しいスイングが出来るのである。又、ボールを打つ前に、ライン上でボールから少し離れた所でボールを写し出してイメージスイングしてから打つのである。図４に基づいて、これまでのヘッド４に、第２反射板５と第３反射板６から成る反射部７を付けるのである。ボールａが第５反射ラインｊと第６反射ラインｋと第７反射ラインｌを通って目ｍで見える反射ボール目印ｃを前述と同様に、第５反射ラインｊと目標ラインｇとを真直ぐに合わせるのである。そして反射ボール目印ｃが見える様にしイメージスイングをし打つのである。何時でも何処でも正しいスイングが出来るのである。
【０００６】
パターには、色調的感覚が全くと云って良い程無く、美的感覚にも乏しく、殆どと云える程形状的方向にのみ進んで来た感がするのである。本発明は、この様な感覚を打破し、図にある通り、パターのヘッドを透明な部分を用いた透明部分のあるヘッド１にしたものである。持っていても楽しく、見ていても楽しくさせられる様にしたもので、前項の本発明と共に、これまでのパターの常識を破ったものでもあり、パターをやさしくしたものとも云える物である。
【０００７】
【発明の効果】
透明部分のあるパターのヘッドに、打つボールを見える様に写し出した反射部を内蔵したパターにより、正しいスイングかをチェック出来ると共に、華やかさも加わりパターを楽しくさせるものになるものである。
【図面の簡単な説明】
【図１】この発明の実施例で、平面図と相関図である。
【図２】この発明の実施例で、側面図と相関図である。
【図３】この発明の実施例で、スイング中の相関図である。
【図４】この発明の実施例で、パター本体が透明でない物あるいはこれまでのパターに反射部を取付けたものである。
【符号の説明】
１　　透明部分のあるヘッド
２　　シャフト
３　　第１反射板
４　　これまでのヘッド
５　　第２反射板
６　　第３反射板
７　　反射部
ａ　　ボール
ｂ　　目標
ｃ　　反射ボール目印
ｄ　　傷付き難い面
ｅ　　第１反射ライン
ｆ　　第２反射ライン
ｇ　　目標ライン
ｈ　　第３反射ライン
ｉ　　第４反射ライン
ｊ　　第５反射ライン
ｋ　　第６反射ライン
ｌ　　第７反射ライン
ｍ　　目